(57)【特許請求の範囲】
【請求項１】
情報提供者からネットワークを介して接続された第１の端末を介して提供された各種の推奨情報を推奨情報データベースに蓄積し、この推奨情報データベースに蓄積された各種の推奨情報を情報閲覧者が前記ネットワークを介して接続された第２の端末を介して閲覧可能とする情報閲覧システムにおいて、
前記情報提供者あるいは情報閲覧者となり得る会員毎に、ログインに必要な会員ＩＤコードと当該会員に対して付与されるポイントデータとを記憶する会員データベースと、
前記情報提供者から前記第１の端末を介してログインに必要な会員ＩＤコードが入力されると、この入力された会員ＩＤコードで前記会員データベースを検索してログインの有効性を判定する情報提供者ログイン判定手段と、
この情報提供者ログイン判定手段によりログインの有効性が確認されると、前記第１の端末を介して提供される推奨情報を当該第１の端末のログイン時に入力された会員ＩＤコードと関連付けて前記推奨情報データベースに保存する推奨情報保存処理手段と、
前記情報閲覧者から前記第２の端末を介してログインに必要な会員ＩＤコードが入力されると、この入力された会員ＩＤコードで前記会員データベースを検索してログインの有効性を判定する情報閲覧者ログイン判定手段と、
この情報閲覧者ログイン判定手段によりログインの有効性が確認されると、前記第２の端末に前記推奨情報データベースに保存された推奨情報のリストを表示させる推奨情報リスト表示制御手段と、
この推奨情報リスト表示制御手段により表示されたリストの中からいずれかの推奨情報が前記第２の端末で選択されると、前記推奨情報データベースから当該選択された推奨情報を読出して前記第２の端末にダウンロードする推奨情報閲覧処理手段と、
この推奨情報閲覧処理手段により前記推奨情報データベースから読み出した推奨情報に関連付けられている会員ＩＤコードと前記情報閲覧者ログイン判定手段によりログインの有効性が確認された会員ＩＤコードとを比較して一致するか否かを判定する判定手段と、
この判定手段により両会員ＩＤコードが一致しないと判定されたことを条件に、前記推奨情報閲覧処理手段により前記推奨情報データベースから読み出した推奨情報に関連付けられている会員ＩＤコードに対応して前記会員データベースに記憶されているポイントデータに所定の閲覧ポイントを加算する閲覧ポイント加算手段と、
を具備したことを特徴とする情報閲覧システム。
【請求項２】
前記推奨情報保存処理手段により前記情報提供者から提供された推奨情報を前記推奨情報データベースに保存する毎にこの推奨情報に関連付けられた会員ＩＤコードに対応して前記会員データベースに記憶されているポイントデータに所定の情報提供ポイントを加算する情報提供ポイント加算手段、
をさらに具備したことを特徴とする請求項１記載の情報閲覧システム。
【請求項３】
推奨情報閲覧処理手段により推奨情報をダウンロードした前記第２の端末で入力された当該推奨情報に対する有益性評価結果を取得する評価結果取得手段と、
この評価結果取得手段により取得した評価結果に基づいて評価ポイントを算出するポイント算出手段と、
前記推奨情報閲覧処理手段により前記第２の端末にダウンロードした推奨情報に関連付けられた会員ＩＤコードに対応して前記会員データベースに記憶されているポイントデータに前記ポイント算出手段により算出された評価ポイントを加算する評価ポイント加算手段と、
をさらに具備したことを特徴とする請求項１または２記載の情報閲覧システム。
【請求項４】
前記会員データベースは、会員毎にその会員が所有する電子メールアドレスをさらに記憶し、
前記情報提供者が受けられる各種サービスの内容をそのサービスが得られるのに必要な設定ポイントとともに記憶するサービスデータベースと、
前記会員データベースに記憶されている会員ＩＤコード毎に、その会員ＩＤコードに対応して記憶されているポイントデータで前記サービスデータベースを検索して設定ポイントが前記ポイントデータ以下のサービス内容を取得するサービス検索手段と、
このサービス検索手段により取得したサービス内容のリストが記載された電子メールを該当する会員ＩＤコードに対応して前記会員データベースに記憶されている電子メールアドレス宛に通知するサービス内容通知手段と、
をさらに具備したことを特徴とする請求項１〜３のうちいずれか１項に記載の情報閲覧システム。
【請求項５】
前記情報提供者が受けられる各種サービスの内容をそのサービスが得られるのに必要な設定ポイントとともに記憶するサービスデータベースと、
前記ネットワークを介して接続された端末からサービス要求コマンドが入力されると、前記端末に対してログイン要求画面をダウンロードするログイン要求手段と、
前記ログイン要求画面を介してログインに必要な会員ＩＤコードが入力されると、この入力された会員ＩＤコードで前記会員データベースを検索してログインの有効性を判定するサービス受者ログイン判定手段と、
このサービス受者ログイン判定手段によりログインの有効性が確認されると、前記会員データベースを検索してログイン時に入力された会員ＩＤコードに対応して記憶されているポイントデータを取得するポイント取得手段と、
このポイント取得手段により得られたポイントデータで前記サービスデータベースを検索して設定ポイントが前記ポイントデータ以下のサービス内容を取得するサービス取得手段と、
このサービス取得手段により取得したサービス内容のリストを前記ログイン要求手段によりログイン要求画面をダウンロードした前記端末に表示させるサービスリスト表示制御手段と、
このサービスリスト表示制御手段により表示されたリストの中からいずれかのサービス内容が前記端末で選択されると、前記サービスデータベースから当該選択されたサービス内容の情報を読み出して前記端末にダウンロードするサービス情報提供手段と、
をさらに具備したことを特徴とする請求項１〜３のうちいずれか１項に記載の情報閲覧システム。
【発明の詳細な説明】
【０００１】
【発明の属する技術分野】
本発明は、情報提供者から提供を受けた各種の情報をネットワーク上のサーバに蓄積し、情報利用者にネットワーク経由でその情報を閲覧させる情報閲覧システムに関する。
【０００２】
【従来の技術】
インターネット等のネットワーク上に設けられたサーバに情報提供者から提供を受けた各種の情報、例えば地域住民の日常生活に必要な生活情報を電子化して蓄積し、当該サーバに情報利用者がパソコン等を利用して接続し、ネットワーク経由でその情報を閲覧する情報閲覧システムが既に実用化されている。
【０００３】
従来のこの種の情報閲覧システムにおいて、情報を閲覧した情報利用者がその情報の有益性を評価し、その評価結果をネットワーク経由でサーバに通知することは可能であった。
【０００４】
【発明が解決しようとする課題】
ところで、このような情報閲覧システムは、情報提供者からの情報提供が少ないと必然的に情報利用者にとって有益な情報も少なくなるため、有効に機能しなくなる。このため、情報提供数が増加するように情報提供者に特典を与えることが考えられていた。しかし、単に情報提供者に特典を与えるだけでは、いたずらに意味のない情報を提供しても多くの特典を受けることが可能であり、この場合には情報利用者にとって有益な情報が少ないため有効に機能しなくなり、対策が望まれていた。
【０００５】
そこで本発明は、有益な情報を提供してくれた情報提供者に特典を付与することができ、有益な情報が増えることで活性化を図ることができる情報閲覧システムを提供しようとするものである。
【０００６】
【課題を解決するための手段】
この出願の情報閲覧システムは、情報提供者からネットワークを介して接続された第１の端末を介して提供された各種の推奨情報を推奨情報データベースに蓄積し、この推奨情報データベースに蓄積された各種の推奨情報を情報閲覧者がネットワークを介して接続された第２の端末を介して閲覧可能とするものである。そして特に、請求項１記載の情報閲覧システムは、情報提供者あるいは情報閲覧者となり得る会員毎に、ログインに必要な会員ＩＤコードと当該会員に対して付与されるポイントデータとを記憶する会員データベースと、情報提供者から第１の端末を介してログインに必要な会員ＩＤコードが入力されると、この入力された会員ＩＤコードで会員データベースを検索してログインの有効性を判定する情報提供者ログイン判定手段と、この情報提供者ログイン判定手段によりログインの有効性が確認されると、第１の端末を介して提供される推奨情報を当該第１の端末のログイン時に入力された会員ＩＤコードと関連付けて推奨情報データベースに保存する推奨情報保存処理手段と、情報閲覧者から第２の端末を介してログインに必要な会員ＩＤコードが入力されると、この入力された会員ＩＤコードで会員データベースを検索してログインの有効性を判定する情報閲覧者ログイン判定手段と、この情報閲覧者ログイン判定手段によりログインの有効性が確認されると、第２の端末に推奨情報データベースに保存された推奨情報のリストを表示させる推奨情報リスト表示制御手段と、この推奨情報リスト表示制御手段により表示されたリストの中からいずれかの推奨情報が第２の端末で選択されると、推奨情報データベースから当該選択された推奨情報を読出して第２の端末にダウンロードする推奨情報閲覧処理手段と、この推奨情報閲覧処理手段により推奨情報データベースから読み出した推奨情報に関連付けられている会員ＩＤコードと情報閲覧者ログイン判定手段によりログインの有効性が確認された会員ＩＤコードとを比較して一致するか否かを判定する判定手段と、この判定手段により両会員ＩＤコードが一致しないと判定されたことを条件に、推奨情報閲覧処理手段により推奨情報データベースから読み出した推奨情報に関連付けられている会員ＩＤコードに対応して会員データベースに記憶されているポイントデータに所定の閲覧ポイントを加算する閲覧ポイント加算手段とを備えたものである。
【０００７】
このような構成の情報閲覧システムにおいては、情報閲覧者によって情報が閲覧されたことに応じてその情報を提供した情報提供者に対してポイントが付与される。すなわち、情報提供者は、自分が提供した情報が閲覧されればされるほど、多くのポイントが付与されるようになる。ただし、情報提供者自身が閲覧した分のポイントは除外される。したがって、情報提供者が自身の情報を閲覧することによってポイントを増やすのを防ぐことができる。
【０００８】
請求項２記載の情報閲覧システムは、さらに、推奨情報保存処理手段により情報提供者から提供された推奨情報を推奨情報データベースに保存する毎にこの推奨情報に関連付けられた会員ＩＤコードに対応して会員データベースに記憶されているポイントデータに所定の情報提供ポイントを加算する情報提供ポイント加算手段を備えたものである。
【０００９】
このような構成の情報閲覧システムにおいては、情報提供者は、さらに自分で情報を提供すればするほど、多くのポイントが付与されるようになる。
【００１０】
請求項３記載の情報閲覧システムは、さらに、推奨情報閲覧処理手段により推奨情報をダウンロードした第２の端末で入力された当該推奨情報に対する有益性評価結果を取得する評価結果取得手段と、この評価結果取得手段により取得した評価結果に基づいて評価ポイントを算出するポイント算出手段と、推奨情報閲覧処理手段により第２の端末にダウンロードした推奨情報に関連付けられた会員ＩＤコードに対応して会員データベースに記憶されているポイントデータにポイント算出手段により算出された評価ポイントを加算する評価ポイント加算手段とを備えたものである。
【００１１】
このような構成の情報閲覧システムにおいても、情報利用者によって情報が閲覧されたことに応じてその情報を提供した情報提供者に対してポイントが付与される。この場合において、情報提供者に付与されるポイントは、その情報提供者が提供した情報を閲覧した情報利用者がその情報の有益性を評価した結果に基づくものである。
【００１２】
請求項４記載の情報閲覧システムは、会員データベースは、会員毎にその会員が所有する電子メールアドレスをさらに記憶し、情報提供者が受けられる各種サービスの内容をそのサービスが得られるのに必要な設定ポイントとともに記憶するサービスデータベースと、会員データベースに記憶されている会員ＩＤコード毎に、その会員ＩＤコードに対応して記憶されているポイントデータでサービスデータベースを検索して設定ポイントがポイントデータ以下のサービス内容を取得するサービス検索手段と、このサービス検索手段により取得したサービス内容のリストが記載された電子メールを該当する会員ＩＤコードに対応して会員データベースに記憶されている電子メールアドレス宛に通知するサービス内容通知手段とをさらに備えたものである。
【００１６】
請求項５記載の情報閲覧システムは、上記サービスデータベースに加えて、ネットワークを介して接続された端末からサービス要求コマンドが入力されると、端末に対してログイン要求画面をダウンロードするログイン要求手段と、ログイン要求画面を介してログインに必要な会員ＩＤコードが入力されると、この入力された会員ＩＤコードで会員データベースを検索してログインの有効性を判定するサービス受者ログイン判定手段と、このサービス受者ログイン判定手段によりログインの有効性が確認されると、会員データベースを検索してログイン時に入力された会員ＩＤコードに対応して記憶されているポイントデータを取得するポイント取得手段と、このポイント取得手段により得られたポイントデータでサービスデータベースを検索して設定ポイントが前記ポイントデータ以下のサービス内容を取得するサービス取得手段と、このサービス取得手段により取得したサービス内容のリストをログイン要求手段によりログイン要求画面をダウンロードした端末に表示させるサービスリスト表示制御手段と、このサービスリスト表示制御手段により表示されたリストの中からいずれかのサービス内容が前記端末で選択されると、サービスデータベースから当該選択されたサービス内容の情報を読み出して端末にダウンロードするサービス情報提供手段とを備えたものである。
【００１７】
【発明の実施の形態】
以下、本発明の一実施の形態を図面を用いて説明する。
なお、この実施の形態における情報閲覧システムは、インターネットを経由して地域住民の日常生活に関する生活情報等を募集したり投稿したりする生活情報電子掲示板システムである。このシステムにおいては、情報提供者と情報利用者がともに会員登録するものとする。
【００１８】
図１は本実施の形態における情報閲覧システムの概略を示しており、この情報閲覧システムは、インターネット通信網１に接続された情報閲覧サーバシステム２を主体とし、この情報閲覧サーバシステム２に、推奨情報データベース３を設けている。そして、情報提供者４がパソコン５等を操作して入力した推奨情報をインターネット通信網１を経由して取得し、推奨情報データベース３に蓄えたり、情報利用者である情報閲覧者６がパソコン７を操作して推奨情報データベース３に蓄積された情報をインターネット通信網１を経由して取得し、パソコン７上で閲覧したりすることができるようになっている。
【００１９】
なお、説明の便宜上、情報提供者４のパソコン５と情報閲覧者６のパソコン７とを区別しているが、Ｗｅｂブラウザやメーラなどのソフトウェアがインストールされたインターネット対応端末となり得るものであればどのようなものでもよく、情報提供者４が情報閲覧者６になったり、逆に、情報閲覧者６が情報提供者４になったりすることができる。また、パソコンの代わりにインターネット対応の携帯電話やＰＤＡ（Personal Digital assistants：携帯情報端末）等を使用することも可能である。
【００２０】
情報閲覧サーバシステム２は、図２に示すように、情報管理サーバ２１、Ｗｅｂサーバ２２、メールサーバ２３、ファイアウォールサーバ２４及びデータベースサーバ２５を備え、各サーバ２１〜２５間をＬＡＮ（Local Area Network）２６で接続してシステム化したものである。
【００２１】
情報管理サーバ２１は、当該情報閲覧サーバシステム２が実行する情報処理の中枢を担うコンピュータである。Ｗｅｂサーバ２２は、パソコン５，７等に実装されたＷｅｂブラウザから要求があったＷｅｂページ情報をインターネット通信網１を経由して発信することに特化したコンピュータである。メールサーバ２３は、インターネット通信網１を経由して送受信される電子メールの送信及び受信に特化したコンピュータである。ファイアウォールサーバ２４は、インターネット通信網１とＬＡＮ２６との間で送受信されるデータを監視し、インターネット通信網１から情報閲覧サーバシステム２に不正に接続が行なわれるのを防止することに特化したコンピュータである。データベースサーバ２５は、各種のデータベースをハードディスク上に保存し管理するとともに、外部からの要求に応じて所望するデータを検索し出力することに特化したコンピュータである。
【００２２】
そしてデータベースサーバ２５は、図３（ａ）に示すように、情報提供者から提供を受けた推奨情報を、その情報提供者の会員ＩＤコード及びその推奨情報の情報項目，分類，有効期限並びに被閲覧回数Ｍとともに蓄積記憶する推奨情報データベース３を管理している。ここで情報項目とは、その推奨情報のタイトルである。分類とは、推奨情報のテーマであり、本実施の形態では、「レジャー」，「ショッピング」，「グルメ」，「公共施設」，「学校」等のテーマを分類として設定する。そして、これらの分類に属する推奨情報を情報提供者から受けるものとする。有効期限とは、その推奨情報を閲覧可能な期限であり、本実施の形態では情報の提供があってから３ヶ月を期限とする。被閲覧回数Ｍとは、その推奨情報が情報閲覧者によって閲覧された回数である。
【００２３】
またデータベースサーバ２５は、同図（ｂ）に示すように、情報提供者あるいは情報閲覧者となり得る会員毎に、ログインに必要な会員ＩＤコードとパスワードを、その会員の氏名，個人属性情報（性別，年齢，既婚／未婚，子供の有無，老人同居の有無，自家用車の有無，ペットの有無，趣味等），電子メールアドレス等とともに設定記憶するとともに、サービスを受けられるポイントＰを累計記憶するポイント累計手段としての会員データベース３１と、同図（ｃ）に示すように、情報提供者が受けられる各種サービスの内容（クーポン券，割引券，入園券等）とそのサービスが得られるのに必要な設定ポイントとを、そのサービスを特定するサービスコード及びサービス項目とともに設定記憶するサービス情報記憶部としてのサービスデータベース３２とを管理している。
【００２４】
さて、かかる構成の情報閲覧サーバシステム２は、インターネット通信網１を経由してパソコン等からＷｅｂトップページのＵＲＬが入力されると、Ｗｅｂサーバ２２が動作して、図８に示す内容のＷｅｂトップページ４０をパソコンにダウンロードする。これにより、ＵＲＬを入力したパソコンのディスプレイに、このＷｅｂトップページ４０が表示される。
【００２５】
ここで、パソコンのユーザが会員登録を行なう場合には、メニュー［会員登録］４１をクリックする。そうすると、情報閲覧サーバシステム２に会員登録要求コマンドが送信される。これにより、情報閲覧サーバシステム２は、情報管理サーバ２１が動作してＷｅｂサーバ２２を制御し、所定の会員登録用Ｗｅｂページ（不図示）をダウンロードする。
【００２６】
そこで、パソコンのユーザは、この会員登録用Ｗｅｂページに氏名，個人属性情報，メールアドレス等の会員登録データを入力し、ボタン［送信］をクリックする。そうすると、情報閲覧サーバシステム２に会員登録データが送信される。これにより、情報閲覧サーバシステム２は、情報管理サーバ２１が動作して会員登録データの正当性を判断し、正当性が承認されたならば、ログインに必要な新規の会員ＩＤコードとパスワードとを生成する。そして、Ｗｅｂサーバ２２を制御して、上記会員ＩＤコードとパスワードとを通知するためのＷｅｂページを作成し、ダウンロードする。また、上記会員ＩＤコード及びパスワードと会員登録データとから会員データベース３１のレコードを生成し、データベースサーバ２５を制御して、会員データベース３１に追加する。このとき、予め設定されている会員登録ポイントＤ（Ｄ≧０）をその会員レコードのポイントＰとしてセットする。
【００２７】
以上の処理により、ユーザの会員登録が完了する。こうして、会員登録を行なったユーザは、地域住民の日常生活に関する生活情報として自らが推奨する情報がある場合にはその推奨情報をパソコン５等を利用して情報閲覧サーバシステム２に提供することができる。また、パソコン７等を利用して他の者が推奨する生活情報を閲覧することもできる。
【００２８】
推奨情報を提供しようとするユーザ（情報提供者４）は、パソコン５の画面に表示されたＷｅｂトップページ４０のメニュー［１．推奨情報を提供する。］４２をクリックする。そうすると、情報閲覧サーバシステム２に情報提供要求コマンドが送信される。これにより、情報閲覧サーバシステム２は、情報管理サーバ２１が動作してＷｅｂサーバ２２を制御し、所定のログイン用Ｗｅｂページ（不図示）をコマンド送信元にダウンロードする。そこで情報提供者４は、パソコン５の画面に表示されたログイン用Ｗｅｂページに、会員登録時に通知された自己の会員ＩＤコードとパスワードとを入力してログインを行なう。
【００２９】
また情報管理サーバ２１は、図４の流れ図に示す情報提供受付処理を実行する。すなわち、ＳＴ（ステップ）１としてログインを待機する。そして、会員ＩＤコードとパスワードの入力によりログインが行なわれたならば、ＳＴ２としてそのログインの有効性を判断する。ここで、会員ＩＤコードが会員データベース３１に設定されていなかったり、設定されてはいるがその会員ＩＤコードに対応するパスワードと入力されたパスワードとが一致しなかったりした場合には、ログイン無効と判断して、この処理を終了する。
【００３０】
ＳＴ２にてログインの有効性が確認された場合には、ＳＴ３としてデータベースサーバ２５を制御して、会員データベース３１から入力された会員ＩＤコードに対応して記憶されている会員の氏名とポイントＰとを読み出す。そして、Ｗｅｂサーバ２２を制御して、図９に示す内容の推奨情報提供用Ｗｅｂページ５０を作成し、ダウンロードする。
【００３１】
この推奨情報提供用Ｗｅｂページ５０は、推奨情報の分類を選択するエリア５１と、推奨情報の項目を入力するエリア５２と、推奨情報本文を入力するエリア５３とを備えたものである。そこで情報提供者４は、パソコン５の画面に表示された推奨情報提供用Ｗｅｂページ５０に、提供しようとする推奨情報の分類と項目と情報本文とをそれぞれ該当するエリア５１，５２，５３に入力する。そして入力後、ボタン［送信］５４をクリックする。そうすると、推奨情報提供用Ｗｅｂページ５０に入力された推奨情報（分類，項目，情報本文）が情報閲覧サーバシステム２に送信される。
【００３２】
これにより、情報管理サーバ２１は、ＳＴ４として推奨情報の提供有りを判断すると、ＳＴ５として当該サーバ内蔵の時計機能によって計時されている現在の日付（情報提供日）から３ヵ月後の日付を情報有効期限日として算出する。また、ＳＴ６として被閲覧回数Ｍを初期値「０」とする。そして、ＳＴ７としてデータベースサーバ２５を制御して、推奨情報データベース３に情報提供者の会員ＩＤコードとともに推奨情報の項目，分類，推奨情報本文，有効期限日及び被閲覧回数Ｍを追加登録する。また、ＳＴ８として会員データベース３１における当該情報提供者の会員ＩＤコードに対応したポイントＰに予め設定されている情報提供ポイントＡ（Ａ＞０）を加算したならば、この情報提供受付処理を終了する。
【００３３】
なお、情報提供者４が推奨情報提供用Ｗｅｂページ５０に推奨情報を入力することなくログアウトした場合には、情報管理サーバ２１は、ＳＴ９としてログアウトを検知したことにより、この情報提供受付処理を終了するものとなっている。
【００３４】
一方、推奨情報を閲覧しようとするユーザ（情報閲覧者６）は、パソコン７の画面に表示されたＷｅｂトップページ４０のメニュー「２．推奨情報を閲覧する。」４３をクリックする。そうすると、情報閲覧サーバシステム２に情報閲覧要求コマンドが送信される。これにより、情報閲覧サーバシステム２は、情報管理サーバ２１が動作してＷｅｂサーバ２２を制御し、所定のログイン用Ｗｅｂページをダウンロードする。そこで情報閲覧者６は、ログイン用Ｗｅｂページに自己の会員ＩＤコードとパスワードとを入力してログインを行なう。
【００３５】
また情報管理サーバ２１は、図５の流れ図に示す情報閲覧受付処理を実行する。すなわち、ＳＴ１としてログインを待機する。そして、会員ＩＤコードとパスワードの入力によりログインが行なわれたならば、ＳＴ２として情報提供受付処理と同様にそのログインの有効性を判断する。そして、ログインの有効性が確認された場合には、ＳＴ３としてデータベースサーバ２５を制御して会員データベース３１から入力された会員ＩＤコードに対応して記憶されている会員の氏名を読み出す。そして、Ｗｅｂサーバ２２を制御して、図１０に示す内容の推奨情報項目リストＷｅｂページ６０を作成し、ダウンロードする。
【００３６】
この推奨情報項目リストＷｅｂページ６０は、画面左側に推奨情報の分類一覧を表示し、いずれかの分類がクリックされると、推奨情報データベース３に保管されている推奨情報のうち、選択された分類に属する推奨情報の項目リストを画面中央に表示するようにしたものである。そこで情報提供者４は、閲覧を希望する分類をクリックし、さらに、興味を持った項目の画面右側に設けられているボタン［見る］６１をクリックする。そうすると、クリックされたボタン［見る］６１に対応する推奨情報の項目データが情報閲覧サーバシステム２に送信される。
【００３７】
これにより、情報管理サーバ２１は、ＳＴ４として推奨情報の項目選択有りを判断すると、ＳＴ５としてデータベースサーバ２５を制御して、その選択された項目の推奨情報本文を推奨情報データベース３から読み出す。そして、Ｗｅｂサーバ２２を制御して、図１１に示す如く推奨情報本文を掲載したＷｅｂページ７０を生成し、ダウンロードする。
【００３８】
この推奨情報掲載Ｗｅｂページ７０は、その画面下側に閲覧した推奨情報が情報閲覧者６にとって有益であったか否かを、「有益」，「やや有益」，「ふつう」，「やや不満」，「不満」の５段階で評価するためのボタン［有益］７１，［やや有益］７２，［ふつう］７３，［やや不満］７４，［不満］７５を設けたものである（評価結果入力手段）。そこで情報閲覧者６は、閲覧した推奨情報を評価し、該当するボタンを入力する。そうすると、入力ボタンに対応した評価結果データが情報閲覧サーバシステム２に送信される。
【００３９】
情報管理サーバ２１は、ＳＴ５にて推奨情報掲載Ｗｅｂページ７０をダウンロードした後、ＳＴ６としてデータベースサーバ２５を制御して、そのダウンロードした推奨情報を提供した情報提供者４の会員ＩＤコードを推奨情報データベース３から取得する（提供者判別手段）。そして、この情報提供者４の会員ＩＤコードと、情報閲覧者６がログイン時に入力した会員ＩＤコードとを比較して、一致するか否かを判定する（判定手段）。
【００４０】
ここで、情報提供者４の会員ＩＤコードと情報閲覧者６の会員ＩＤコードとが一致しない場合には、情報提供者４と情報閲覧者６とが別人なので、ＳＴ７としてデータベースサーバ２５を制御して、推奨情報データベース３における該当推奨情報の被閲覧回数Ｍを「１」だけ増加する。また、ＳＴ８として会員データベース３１における該当推奨情報提供者４のポイントＰに所定の閲覧ポイントＢ（Ｂ＞０）を加算する（ポイント付与手段）。
【００４１】
しかる後、ＳＴ９として情報閲覧者６による該当推奨情報の評価結果データが入力されるのを待機する。そして、インターネット通信網１を経由して評価結果データが入力されたならば（評価結果取得手段）、ＳＴ１０としてその評価結果データに基づく評価ポイントＣを算出する。具体的には、評価結果が「有益」であれば５点、「やや有益」であれば４点、「普通」であれば３点、「やや不満」であれば２点、「不満」であれば１点というように、評価が高いほど大きくなるように評価結果データに対する基準ポイントＬを設定し、この基準ポイントＬに重み付けとしての係数ｋ（ｋ＞０）を乗算して評価ポイントＣを算出する（ポイント算出手段）。
【００４２】
しかして、ＳＴ１１としてデータベースサーバ２５を制御して、会員データベース３１における該当推奨情報提供者４のポイントＰに上記評価ポイントＣを加算したならば（ポイント付与手段）、この情報閲覧受付処理を終了する。
【００４３】
なお、情報閲覧者６の評価結果データが入力されることなくログアウトされた場合には、ＳＴ１２として評価結果データに対応する基準ポイントＬを評価結果「不満」に対応した基準ポイント「１」に設定した後、ＳＴ１１に進み、この基準ポイントＬに係数Ｋを乗算して評価ポイントＢを算出する。そして、データベースサーバ２５を制御して、会員データベース３１における該当推奨情報提供者４のポイントＰに上記評価ポイントＣを加算したならば（ポイント付与手段）、この情報閲覧受付処理を終了する。
【００４４】
また、ＳＴ６にて情報提供者４の会員ＩＤコードと情報閲覧者６の会員ＩＤコードとが一致する場合には、情報提供者４と情報閲覧者６とが同一人物であるので、その時点でこの情報閲覧受付処理を終了する。このとき、情報提供者４のポイントＰに閲覧ポイントＢ及び評価ポイントＣは加算されない。
【００４５】
なお、情報閲覧者６が推奨情報項目リストＷｅｂページ６０から推奨情報項目を選択することなくログアウトした場合には、情報管理サーバ２１は、ＳＴ１３としてログアウトを検知したことにより、この情報閲覧受付処理を終了するものとなっている。
【００４６】
このように本実施の形態の情報閲覧システムにおいては、会員が情報提供者４として情報閲覧サーバシステム２に地域住民の日常生活に関する生活情報等の推奨情報を提供する毎に、その会員に対して所定の提供ポイントＡが与えられる。
【００４７】
また、会員が情報閲覧者６として情報閲覧サーバシステム２の推奨情報データベース３に蓄積されている生活情報等を閲覧する毎に、その情報を提供した情報提供者４である会員に対して所定の閲覧ポイントＢが与えられる。
【００４８】
さらに、情報閲覧者６は、その閲覧した情報の有益性を５段階で評価しその結果を入力することが可能である。そして、閲覧した情報の評価結果が入力された場合には、その情報を提供した情報提供者４である会員に対して評価ポイントＣが与えられる。この評価ポイントＣは、情報閲覧者６の評価が高ければ高いほど大きなポイントとなる。
【００４９】
ただし、情報閲覧者６と情報提供者４が同一人物であった場合、つまり情報提供者４が自分で提供した情報を閲覧し、またその有益性について評価を行なったとしても、閲覧ポイントＢ及び評価ポイントＣは加算されない。
【００５０】
このように、情報提供者４となった会員に対しては、サービスを受けるためのポイントとして、情報提供時には提供ポイントＡが、提供した情報が情報閲覧者６によって閲覧されたときにはその都度閲覧ポイントＢが、提供した情報に対して情報閲覧者６により評価された場合にはその評価の高さに対応した評価ポイントＣがそれぞれ付与される。すなわち、提供した推奨情報に対しての情報閲覧者６の評価が高ければ高いほど、大きなポイントが得られるようになる。
【００５１】
こうして、推奨情報を提供した各会員に対して付与されるポイントは、会員データベース３１上で会員別に累計記憶される。そして、ポイントを蓄えた会員は、その累計ポイントＰに応じて所定のサービスを受けることができる。
【００５２】
具体的に説明すると、サービスを受けることを希望する会員は、パソコン５，７を操作して図８に示す内容のＷｅｂトップページ４０をダウンロードした後、メニュー「３．ポイントサービスを受ける。」４４をクリックする。そうすると、情報閲覧サーバシステム２にサービス要求コマンドが送信される。これにより、情報閲覧サーバシステム２は、情報管理サーバ２１が動作してＷｅｂサーバ２２を制御し、所定のログイン用Ｗｅｂページをダウンロードする。そこで会員は、ログイン用Ｗｅｂページに自己の会員ＩＤコードとパスワードとを入力してログインを行なう。
【００５３】
また情報管理サーバ２１は、図６の流れ図に示すサービス提供処理を実行する。すなわち、ＳＴ１としてログインを待機する。そして、会員ＩＤコードとパスワードの入力によりログインが行なわれたならば、ＳＴ２としてそのログインの有効性を判断する。そして、ログインの有効性が確認された場合には、ＳＴ３としてデータベースサーバ２５を制御して、会員データベース３１から入力された会員ＩＤコードに対応して記憶されている会員の氏名と累計ポイントＰとを読み出す。
【００５４】
次に、ＳＴ４としてサービスデータベース３２を検索して当該会員の累計ポイントＰ以下を設定ポイントとするサービス情報の項目を取得する。ここで、ＳＴ５として当該会員の累計ポイントＰ以下を設定ポイントとするサービス情報の項目がサービスデータベース３２に設定されていなかった場合にはＳＴ６の処理に進み、Ｗｅｂサーバ２２を制御してサービス項目無しを示すＷｅｂページを生成し、ダウンロードして、このサービス提供処理を終了する。
【００５５】
一方、ＳＴ５にて当該会員の累計ポイントＰ以下を設定ポイントとするサービス情報の項目がサービスデータベース３２に設定されていた場合にはＳＴ７に進み、その累計ポイントＰ以下を設定ポイントとするサービス情報の項目を読出して提供可能なサービス項目のリストを作成する。そして、ＳＴ８としてＷｅｂサーバ２２を制御して、図１２に示す内容のサービス項目リストＷｅｂページ８０を作成し、ダウンロードする（サービス内容提示手段）。
【００５６】
このサービス項目リストＷｅｂページ８０は、サービスデータベース３２に保管されているサービス情報のうち、設定ポイントが当該会員の累計ポイントＰ以下のサービス情報項目と設定ポイントとを一覧表示したものである。そこで会員は、サービスの提供を受ける項目の画面右側に設けられているボタン［申込む］８１をクリックする。そうすると、クリックされたボタン［申込む］８１に対応するサービス情報の項目データが情報閲覧サーバシステム２に送信される。
【００５７】
これにより、情報管理サーバ２１は、ＳＴ９としてサービス情報の項目選択有りを判断すると、ＳＴ１０としてデータベースサーバ２５を制御して、その選択された項目のサービス内容をサービスデータベース３２から読み出す。そして、Ｗｅｂサーバ２２を制御して、図１３に示す如くサービス内容を掲載したＷｅｂページ９０を生成し、ダウンロードする（サービス提供手段）。しかる後、ＳＴ１１としてデータベースサーバ２５を制御して、会員データベース３１における当該会員の会員ＩＤコードに対応したポイントＰから提供したサービス情報の設定ポイントを減算したならば、このサービス提供処理を終了する。
【００５８】
なお、会員がサービス情報項目を選択することなくログアウトした場合には、情報管理サーバ２１は、ＳＴ１２としてログアウトを検知したことにより、このサービス提供処理を終了するものとなっている。
【００５９】
また、情報管理サーバ２１は、当該サーバ内蔵の時計機能によって計時されている日付が翌日に更新される毎に、図７の流れ図に示すサービス通知処理を実行するものとなっている。すなわち、このサービス通知処理を開始すると、先ず、ＳＴ１としてデータベースサーバ２５を制御して、推奨情報データベース３を検索し、日付の更新によって有効期限日が切れた推奨情報，つまり有効期限日が前日に設定されていた推奨情報を探す。
【００６０】
その結果、ＳＴ２として有効期限日が前日に設定されていた推奨情報を推奨情報データベース３から検出したならば、ＳＴ３としてその推奨情報提供者の会員ＩＤコードを読出し、会員データベース３１を検索して、当該会員ＩＤコードに対応した会員氏名，メールアドレス及び累計ポイントＰを取得する。
【００６１】
次に、ＳＴ４としてサービスデータベース３２を検索して当該推奨情報提供者の累計ポイントＰ以下を設定ポイントとするサービス情報の項目を取得する。ここで、ＳＴ５として当該推奨情報提供者の累計ポイントＰ以下を設定ポイントとするサービス情報の項目がサービスデータベース３２に設定されていなかった場合にはＳＴ１の処理に戻り、推奨情報データベース３の検索を続ける。
【００６２】
ＳＴ５にて当該推奨情報提供者の累計ポイントＰ以下を設定ポイントとするサービス情報の項目がサービスデータベース３２に設定されていた場合にはＳＴ６に進み、その累計ポイントＰ以下を設定ポイントとするサービス情報の項目を読出して提供可能なサービス項目のリストを作成する。そして、ＳＴ７として図１４に示すようにサービス項目リストを載せた当該推奨情報提供者宛ての送信メールを作成し、メールサーバ２３に送る。しかる後、ＳＴ１の処理に戻り、推奨情報データベース３の検索を続ける。
【００６３】
こうして、有効期限日が前日に設定されていた推奨情報を推奨情報データベース３から検出する毎に、ＳＴ３以下の処理を繰返し実行する。すなわち、当該推奨情報提供者の累計ポイントＰ以下を設定ポイントとするサービス情報の項目がサービスデータベース３２に設定されていた場合にそのサービス項目のリストを載せた当該推奨情報提供者宛ての送信メールを作成してメールサーバ２３に送る処理を実行する。
【００６４】
そして、ＳＴ８として推奨情報データベース３の検索終了を判断したならば、ＳＴ９として送信メールの有無を判断する。そして、ＳＴ７の処理で推奨情報提供者宛ての送信メールを作成していた場合には、ＳＴ１０としてメールサーバ２３に送信メールの送信を指令して、このサービス通知処理を終了する（サービス内容通知手段）。
【００６５】
このように本実施の形態の情報閲覧システムにおいては、推奨情報を提供した情報提供者４に対し、その情報提供者４が取得したポイントに応じてクーポン券，割引券，入園券等の配布サービスを提供することができる。この場合において、各サービス情報には予め設定ポイントが設定されており、情報提供者４は自己の累計ポイントＰ以下を設定ポイントとするサービスであれば受けることができる。情報提供者４の累計ポイントＰは、当該情報提供者４が提供した推奨情報が情報閲覧者６にとって有益であると評価されればされるほど大きくなるので、情報閲覧者６にとって有益な情報を提供した情報提供者４ほど大きなサービスが得られるようになる。その結果、情報提供者４は多くの情報を提供するようになるので、有益な情報が増え、システムの活性化につながる。
【００６６】
また、本実施の形態の情報閲覧システムにおいては、推奨情報の有効期限が切れる毎に、その有効期限切れの情報を提供した情報提供者４に対して、その時点で受けることができるサービスの項目リストを掲載した電子メールを自動的に送信して、通知するようになっている。したがって、情報提供者４が情報提供後にポイントサービスの制度を忘れてしまっても電子メールの形態でサービスが受けられることを通知でき、サービス性がよいものとなる。
【００６７】
なお、電子メールによってサービス情報項目リストを通知するタイミングは、提供情報の期限切れに限定されるものではなく、例えば週に１度の割合で図７に示したサービス通知処理を実行することによって、サービス情報項目リストの電子メールを毎週１回ずつ該当する情報提供者４に送信するようにしてもよい。
【００６８】
【発明の効果】
以上詳述したように本願請求項１乃至５記載の発明によれば、有益な情報を提供してくれた情報提供者に特典を付与することができ、有益な情報が増えることで活性化を図ることができる情報閲覧システムを提供できる。
【図面の簡単な説明】
【図１】  本発明の一実施の形態である情報閲覧システムの全体構成図。
【図２】  同実施の形態における情報閲覧サーバシステムの概略構成図。
【図３】  同情報閲覧サーバシステムのデータベースサーバが管理する主要なデータベースを示す図。
【図４】  同情報閲覧サーバシステムの情報管理サーバが実行する情報提供受付処理の要部を示す流れ図。
【図５】  同情報閲覧サーバシステムの情報管理サーバが実行する情報閲覧受付処理の要部を示す流れ図。
【図６】  同情報閲覧サーバシステムの情報管理サーバが実行するサービス提供処理の要部を示す流れ図。
【図７】  同情報閲覧サーバシステムの情報管理サーバが実行するサービス通知処理の要部を示す流れ図。
【図８】  同実施の形態において情報閲覧サーバシステムにアクセスしたパソコンなどに表示されるＷｅｂトップページの一例を示す図。
【図９】  同推奨情報提供用Ｗｅｂページの一例を示す図。
【図１０】同推奨情報項目リストＷｅｂページの一例を示す図。
【図１１】同推奨情報本文掲載Ｗｅｂページの一例を示す図。
【図１２】同サービス項目リストＷｅｂページの一例を示す図。
【図１３】同サービス情報本文掲載Ｗｅｂページの一例を示す図。
【図１４】サービス項目リスト掲載送信メールの一例を示す図。
【符号の説明】
１…インターネット通信網
２…情報閲覧サーバシステム
３…推奨情報データベース
４…情報提供者
５，７…パソコン
６…情報閲覧者
２１…情報管理サーバ
３１…会員データベース
３２…サービスデータベース
【図１】
0003872970.tif 000002
【図２】
0003872970.tif 000003
【図３】
0003872970.tif 000004
【図４】
0003872970.tif 000005
【図５】
0003872970.tif 000006
【図６】
0003872970.tif 000007
【図７】
0003872970.tif 000008
【図８】
0003872970.tif 000009
【図９】
0003872970.tif 000010
【図１０】
0003872970.tif 000011
【図１１】
0003872970.tif 000012
【図１２】
0003872970.tif 000013
【図１３】
0003872970.tif 000014
【図１４】
0003872970.tif 000015